(57)【要約】【課題】  付け爪を取り付けた状態でも、サイズの異なる複数のボタンを容易にボタンホールに通してボタン掛け作業を行うことができるボタン掛け具を提供する。【解決手段】  ボタンに係合してボタンホールに通すことが可能な、複数の大きさの異なるボタン係合孔が板状部材に形成されている。上記ボタン係合孔として、ジーンズ用の大きなボタン係合孔と、シャツ用の小さなボタン係合孔とを有している。また、ファスナのスライダの引き手に係合して上記スライダを走行せしめることが可能なフック部が上記板状部材に併設されている。上記ボタン係合孔は幅広孔部と幅狭孔部とを有し、上記幅広孔部と上記幅狭孔部は連続形成されている。【選択図】  図１
0003113203.tif 000002
【実用新案登録請求の範囲】
【請求項１】
ボタンに係合してボタンホールに通すことが可能な、複数の大きさの異なるボタン係合孔が板状部材に形成されていることを特徴とするボタン掛け具。
【請求項２】
ファスナのスライダの引き手に係合して上記スライダを走行せしめることが可能なフック部が上記板状部材に併設されていることを特徴とする請求項１記載のボタン掛け具。
【請求項３】
上記ボタン係合孔として、ジーンズ用の大きなボタン係合孔と、シャツ用の小さなボタン係合孔とを有していることを特徴とする請求項１又は２記載のボタン掛け具。
【請求項４】
上記ボタン係合孔は、ボタン頭部の外径より幅寸法が大きい幅広孔部と、幅寸法が上記ボタン頭部の外径より小さく且つボタン首部の外径より大きい幅狭孔部とを有し、上記幅広孔部と上記幅狭孔部は連続形成されていることを特徴とする請求項１，２又は３記載のボタン掛け具。
【請求項５】
上記板状部材は両端部を手で握持しうる略ヘ字状に形成され、上記ボタン係合孔は上記板状部材における両端部に配置されていることを特徴とする請求項１，２，３又は４記載のボタン掛け具。
【請求項６】
上記フック部は鉤状に形成され、上記板状部材の略中央部に配置されていることを特徴とする請求項２及び５記載のボタン掛け具。
【考案の詳細な説明】
【技術分野】
【０００１】
本考案はボタン掛け具に係り、特に、手の指の爪に付け爪を取り付けている女性でも、容易にボタンをボタンホールに掛け留めすることができるボタン掛け具に関する。
【背景技術】
【０００２】
近年、オシャレのために手の指に付け爪を取り付けている女性が増えている。
【０００３】
上記付け爪は、指先より前方へ突出するように取り付けられることが多いことから、指先で行う作業の邪魔になりやすく、例えばボタンをボタンホールに掛け留めする作業を行う場合、指先でボタンを掛け留めすることが困難なため、付け爪でボタンを掛け留めする必要があった。
【０００４】
従って、付け爪を介してボタンを操作するため、感覚的な違和感が生じて、スムースにボタンを掛け留めできないという不具合がある。
【０００５】
また、付け爪でボタン掛け作業を無理に行うと、付け爪が剥がれたり、損傷するという不具合もある。
【０００６】
上記不具合を解消しうるボタン掛け具が、従来、特許文献１等により開示されている。
【特許文献１】特開２００３−１８０４０７号公報
【０００７】
上記従来例のボタン掛け具は、ボタン案内孔を有するボタン保持部と、取っ手部とからなり、上記ボタン案内孔にボタンを係合させてボタンホールを通過させることにより、ボタン掛け作業を可能にするものである。
【０００８】
しかしながら、上記従来例のボタン掛け具は、単一の上記ボタン案内孔を有するのみであり、上記ボタン案内孔のサイズに適合するサイズのボタンを掛け留めする場合は支障ないが、上記ボタン案内孔のサイズに適合しないサイズのボタンを掛け留めする場合は、作業がしにくいという不具合がある。
【０００９】
従って、例えばジーンズとシャツを着用している場合、ジーンズのフロントボタンとシャツのボタンのサイズが異なることから、２種類のボタン掛け具を備えなければならず、煩雑であった。
【考案の開示】
【考案が解決しようとする課題】
【００１０】
そこで本考案の課題は、付け爪を取り付けた状態でも、サイズの異なる複数のボタンを容易にボタンホールに通してボタン掛け作業を行うことができるボタン掛け具を提供することにある。
【課題を解決するための手段】
【００１１】
上記課題を解決するために、請求項１記載の本考案に係るボタン掛け具は、ボタンに係合してボタンホールに通すことが可能な、複数の大きさの異なるボタン係合孔が板状部材に形成されていることを特徴とするものである。
【００１２】
即ち、請求項１記載の本考案に係るボタン掛け具にあっては、板状部材により形成され、上記板状部材にはボタン係合孔が設けられ、上記ボタン係合孔はボタンを係合しうるように形成されている。
また、上記ボタン係合孔はボタンを係合した状態でボタンホールに通されることにより、ボタンをボタンホールに掛け留めすることができる。
また、ボタンの大きさは様々であり、１つのボタン係合孔では、ボタン掛け作業を実施できるボタンが限定されてしまう。そこで、多種類のボタンをボタン掛けできるように、
大きさの異なる複数のボタン係合孔が設けられた。
【００１３】
また、請求項２記載の本考案に係るボタン掛け具は、ファスナのスライダの引き手に係合して上記スライダを走行せしめることが可能なフック部が上記板状部材に併設されていることを特徴とする。
【００１４】
即ち、請求項２記載の本考案に係るボタン掛け具にあっては、ボタンをボタンホールに掛け留めする機能のみでなく、ファスナのスライダを走行させやすくする機能も有している。
即ち、付け爪を爪に取り付けた状態では、ファスナの引き手を指で摘むことも困難であることから、その不便を解消するために、フック部が併設されている。そして、上記フック部はファスナのスライダの引き手に係合しうるように形成されている。
【００１５】
また、請求項３記載の本考案に係るボタン掛け具は、上記ボタン係合孔として、ジーンズ用の大きなボタン係合孔と、シャツ用の小さなボタン係合孔とを有していることを特徴とする。
【００１６】
即ち、請求項３記載の本考案に係るボタン掛け具にあっては、大小２種類のボタン係合孔が設けられている。そして、大形のボタン係合孔はジーンズのフロントボタンを係合しうるように、又、小形のボタン係合孔はシャツのボタンを係合しうるように形成されている。
【００１７】
また、請求項４記載の本考案に係るボタン掛け具は、上記ボタン係合孔は、ボタン頭部の外径より幅寸法が大きい幅広孔部と、幅寸法が上記ボタン頭部の外径より小さく且つボタン首部の外径より大きい幅狭孔部とを有し、上記幅広孔部と上記幅狭孔部は連続形成されていることを特徴とする。
【００１８】
即ち、請求項４記載の本考案に係るボタン掛け具にあっては、上記ボタン係合孔が、ボタンに係合しやすい形状に形成されている。ボタンを係合するには、ボタン首部をボタン係合孔に貫通させる必要があり、そのためには、ボタン頭部をボタン係合孔に挿入する必要がある。従って、上記ボタン係合孔には、ボタン頭部の外径より幅寸法が大きい幅広孔部が設けられている。また、上記ボタン頭部が上記ボタン係合孔から脱出しないようにする必要があり、そのために、幅寸法が上記ボタン頭部の外径より小さく且つボタン首部の外径より大きい幅狭孔部が設けられている。また、上記幅広孔部に挿入したボタンを上記幅狭孔部に移動させる必要があるため、上記幅狭孔部と上記幅広孔部は連続形成されている。
【００１９】
また、請求項５記載の本考案に係るボタン掛け具は、上記板状部材は両端部を手で握持しうる略ヘ字状に形成され、上記ボタン係合孔は上記板状部材における両端部に配置されていることを特徴とする。
【００２０】
即ち、請求項５記載の本考案に係るボタン掛け具にあっては、ボタン掛け作業を行うには手で握って操作する必要があることから、上記板状部材の端部を手による握持部となしたものである。
また、上記ボタン係合孔を複数箇所に設けることから、上記板状部材の両端部がそれぞれ握持可能に形成された。
また、上記板状部材の端部を手で握って操作する場合、上記ボタン係合孔が握持部の延長線上に位置するよりも、少し側方に偏していた方が作業しやすい。そのため、上記板状部材は略へ字状に形成されている。
【００２１】
また、請求項６記載の本考案に係るボタン掛け具は、上記フック部は鉤状に形成され、上記板状部材の略中央部に配置されていることを特徴とする。
【００２２】
即ち、請求項６記載の本考案に係るボタン掛け具にあっては、ファスナのスライダの引き手に係合して上記スライダを走行せしめるために設けられた上記フック部の先端部が、上記引き手の孔に容易に挿入して係合しやすくなるように、上記フック部の形状が鉤状に形成されている。
また、上記板状部材の両端部は上記ボタン係合孔が配置されてボタン掛け作業を行う部位であるため、これとファスナの開閉作業を行う部位とが混同しないように、上記フック部は上記板状部材の略中央部に配置されている。
【考案の効果】
【００２３】
請求項１記載の本考案に係るボタン掛け具は、ボタンに係合してボタンホールに通すことが可能な、複数の大きさの異なるボタン係合孔が板状部材に形成されていることから、爪に付け爪を取り付けている場合であっても、上記板状部材を指先で握持して、上記ボタン係合孔をボタンに係合させることにより、容易に上記ボタンをボタンホールに通してボタン掛け作業を実施することができる。
また、複数の大きさの異なるボタン係合孔を有することから、着衣に大きさの異なるボタンが付いていても、当該ボタン掛け具のみを用いてそれら全てのボタンをボタンホールに対し掛け留めすることができる。
【００２４】
また、請求項２記載の本考案に係るボタン掛け具は、ファスナのスライダの引き手に係合して上記スライダを走行せしめることが可能なフック部が上記板状部材に併設されていることから、上記ボタン掛け作業のみでなく、着衣に取り付けられたファスナの開閉作業も当該ボタン掛け具で行うことができるので、極めて有用性が高い。
【００２５】
また、請求項３記載の本考案に係るボタン掛け具は、上記ボタン係合孔として、ジーンズ用の大きなボタン係合孔と、シャツ用の小さなボタン係合孔とを有していることから、ジーンズとシャツを着用している状態でも、ジーンズの大きなボタンとシャツの小さなボタンの双方のボタン掛け作業を不都合なく行うことができる。
【００２６】
また、請求項４記載の本考案に係るボタン掛け具は、上記ボタン係合孔は、ボタン頭部の外径より幅寸法が大きい幅広孔部と、幅寸法が上記ボタン頭部の外径より小さく且つボタン首部の外径より大きい幅狭孔部とを有し、上記幅広孔部と上記幅狭孔部は連続形成されていることから、上記幅広孔部に上記ボタン頭部を挿入してから上記幅狭孔部に上記ボタン首部を移動させることにより、容易にボタン係合孔にボタンを係合させることができる。
【００２７】
また、請求項５記載の本考案に係るボタン掛け具は、上記板状部材は両端部を手で握持しうる略ヘ字状に形成され、上記ボタン係合孔は上記板状部材における両端部に配置されていることから、上記板状部材の一端に配置された上記ボタン係合孔を使用してボタン掛け作業を行う場合に、上記板状部材の他方端部を握持して作業を行うことができるので、作業がやりやすく使い勝手が良好である。
【００２８】
また、請求項６記載の本考案に係るボタン掛け具は、上記フック部は鉤状に形成されていることから、上記鉤状部の先端をファスナのスライダの引き手に設けられた孔部に挿入することにより上記フック部を上記ファスナのスライダに対し容易に係合させることができる。
また、上記フック部は上記板状部材の略中央部に配置されていることから、上記板状部材の端部を握持して上記ファスナの開閉作業を容易に行うことができる。
【考案を実施するための最良の形態】
【００２９】
以下、図面を用いて本考案の実施の形態について説明する。
本実施の形態に係るボタン掛け具１１は、図１〜図３に示すように、ボタン１２に係合してボタンホール１３に通すことが可能な、複数の大きさの異なるボタン係合孔１４，１５が板状部材１６に形成されている。
また、上記ボタン掛け具１１は、図１及び図４に示すように、ファスナ１７のスライダ１８の引き手１９に係合して上記スライダ１８を走行せしめることが可能なフック部２０が上記板状部材１６に併設されている。
また、上記ボタン係合孔１４，１５として、図１に示すように、ジーンズ用の大きなボタン係合孔１４と、シャツ用の小さなボタン係合孔１５とを有している。
また、上記ボタン係合孔１４，１５は、図１及び図２に示すように、ボタン頭部１２ａの外径より幅寸法が大きい幅広孔部２１ａ，２１ｂと、幅寸法が上記ボタン頭部１２ａの外径より小さく且つボタン首部１２ｂの外径より大きい幅狭孔部２２ａ，２２ｂとを有し、上記幅広孔部２１ａ，２１ｂと上記幅狭孔部２２ａ，２２ｂは連続形成されている。
また、上記板状部材１６は、図１に示すように、両端部を手で握持しうる略ヘ字状に形成され、上記ボタン係合孔１４，１５は上記板状部材１６における両端部に配置されている。
また、上記フック部２０は、図１に示すように、鉤状に形成され、上記板状部材１６の略中央部に配置されている。
【実施例１】
【００３０】
図は実施例に係るボタン掛け具１１を示したものである。
上記ボタン掛け具１１は、図１に示すように、板状部材１６により形成されている。
本実施例における上記板状部材１６には、素材としてプラスチックが使用されている。    
しかしながら、上記板状部材１６の素材は自由であり、本実施例に限定されるものではなく、金属や木などの素材を使用することも可能である。
【００３１】
上記板状部材１６は、図１に示すように、略へ字状に形成されている、即ち、左側片部１６ａと右側片部１６ｂとを有し、上記左側片部１６ａと右側片部１６ｂは鈍角で交差しながら連続形成されている。
【００３２】
上記板状部材１６の全体の長さ寸法は９７ｍｍに設定され、全体の幅寸法は４５ｍｍに設定されている。また、厚さ寸法は１〜２ｍｍ程度に設定されている。
【００３３】
また、上記板状部材１６における上記左側片部１６ａと右側片部１６ｂの幅寸法は、手の指で握持しうる程度に設定されている。即ち、上記板状部材１６の両端部は握持部２３，２４として使用しうるように形成されている。
【００３４】
上記板状部材１６の両端部、即ち、上記左側片部１６ａと右側片部１６ｂの先端部には、図１に示すように、それぞれボタン係合孔１４，１５が形成されている。
【００３５】
上記左側片部１６ａに形成されたボタン係合孔１４と、上記右側片部１６ｂに形成されたボタン係合孔１５は、図１に示すように大きさが異なり、上記左側片部１６ａのボタン係合孔１４は大きく、上記右側片部１６ｂのボタン係合孔１５は小さく形成されている。
【００３６】
即ち、上記左側片部１６ａのボタン係合孔１４はジーンズのフロントボタンに係合しうる大きさに、又、上記右側片部１６ｂのボタン係合孔１５はシャツのボタンに係合しうる大きさに形成されている。
【００３７】
上記ボタン係合孔１４，１５は、図１に示すように、上記板状部材１６の長さ方向に沿って形成されているが、幅は一定ではなく、途中箇所で幅が変化するように形成されている。
【００３８】
即ち、上記ボタン係合孔１４，１５は、図１に示すように、幅広孔部２１ａ，２１ｂと幅狭孔部２２ａ，２２ｂとを有し、上記幅広孔部２１ａ，２１ｂと上記幅狭孔部２２ａ，２２ｂは連続形成されている。
【００３９】
上記板状部材１６の上記左側片部１６ａに形成された上記ボタン係合孔１４における上記幅広孔部２１ａは、ジーンズに取り付けられたボタン１２のボタン頭部１２ａの外径より幅寸法が大きく設定され、又、上記幅狭孔部２２ａの幅寸法は、上記ボタン頭部１２ａの外径より小さく且つボタン首部１２ｂの外径より大きく設定されている。
【００４０】
また、上記板状部材１６の上記右側片部１６ｂに形成された上記ボタン係合孔１５における上記幅広孔部２１ｂは、シャツに取り付けられたボタン１２のボタン頭部１２ａの外径より幅寸法が大きく設定され、又、上記幅狭孔部２２ｂの幅寸法は、上記ボタン頭部１２ａの外径より小さく且つボタン首部１２ｂの外径より大きく設定されている。
【００４１】
また、上記板状部材１６の略中央部で、膨出した側の縁部には、図１に示すように、フック部２０が設けられ、当該フック部２０は鉤状に形成されている。
なお、上記フック部２０の近傍には、図１に示すように、ストラップ等を繋ぐことができる孔２８が形成されている。
【００４２】
上記フック部２０の先端部は、図４に示すように、ファスナ１７のスライダ１８の引き手１９に形成された孔２５に挿入して係合しうるように形成されている。
【００４３】
以下、上記実施例の作用について説明する。
まず、上記実施例に係る上記ボタン掛け具１１は、上記ボタン係合孔１４，１５を用いてボタン掛け作業を行うことができる。
その場合、上記板状部材１６における上記左側片部１６ａのボタン係合孔１４を用いれば、外径の大きいジーンズのボタン１２をボタンホール１３に掛け留めすることができ、又、上記右側片部１６ｂのボタン係合孔１５を用いれば、外径の小さいシャツのボタン１２をボタンホール１３に掛け留めすることができる。
【００４４】
上記ボタン掛け作業を行う場合は、上記板状部材１６の端部に形成された上記握持部２３，２４を指で握って操作する。
この場合、上記板状部材１６がある程度の長さを有することから、たとえ爪に付け爪が取り付けられている状態でも、指で板状部材１６の端部を支障なく握って操作することができる。
【００４５】
上記ボタン掛け作業は次のように行われる。
まず、図２及び図３に示すように、衣服の外側の生地２６のボタンホール１３に上記板状部材１６の端部を外側から内側へ貫通させる。
そして、内側の生地２７に取り付けられたボタン１２にボタン係合孔１４，１５を係合させる。
その場合、ボタン頭部１２ａを上記ボタン係合孔１４，１５における上記幅広孔部２１ａ，２１ｂに挿入してから、上記ボタン首部１２ｂを上記幅狭孔部２２ａ，２２ｂへと移動させる。これにより上記ボタン係合孔１４，１５にボタン１２が係合した状態となる。
この状態で、上記板状部材１６の端部を上記ボタンホール１３から上記生地２６の外側へ引き抜く操作を行う。この引き抜き操作により、ボタン１２は上記板状部材１６に引っ張られて生地２６の内側から外側へボタンホール１３を通過する。これにより、ボタン１２はボタンホール１３に掛け留めされた状態となる。
なお、上記板状部材１６を上記ボタンホール１３から引き抜く際に、上記板状部材１６を起こすような捻り操作を加えると、上記ボタンホール１３が拡開されてボタン１２を容易に通過させることができる。
【００４６】
上記のように、ボタン１２をボタンホール１３に掛け留めした後は、上記ボタン首部１２ｂを再び幅広孔部２１ａ，２１ｂの位置へ移動させれば、ボタン頭部１２ａを上記幅広孔部２１ａ，２１ｂから脱出させることができる。
【００４７】
また、上記実施例に係る上記ボタン掛け具１１は、上記フック部２０を用いてファスナ１７の開閉作業を行うことができる。
その場合、図４に示すように、上記フック部２０の先端部をスライダ１８の引き手１９に形成された孔２５に挿入して係合させ、その状態で上記板状部材１６を介し上記引き手１９を引っ張ればよい。
この場合も、指に付け爪が取り付けられた状態であっても、指で上記板状部材１６の端部を摘むことにより容易に作業を行うことができる。
【産業上の利用可能性】
【００４８】
本考案はボタンをボタンホールに掛け留めするための用具に適用可能である。
【図面の簡単な説明】
【００４９】
【図１】実施例に係るボタン掛け具の斜視図である。
【図２】実施例に係るボタン掛け具によりボタン掛け作業を行っている状態を示す斜視図である。
【図３】図２のＡ−Ａ線における断面図である。
【図４】実施例に係るボタン掛け具によりファスナ開閉作業を行っている状態を示す一部斜視図である。
【符号の説明】
【００５０】
１１  ボタン掛け具
１２  ボタン
１２ａ  ボタン頭部
１２ｂ  ボタン首部
１３  ボタンホール
１４  ボタン係合孔
１５  ボタン係合孔
１６  板状部材
１７  ファスナ
１８  スライダ
１９  引き手
２０  フック部
２１ａ，２１ｂ  幅広孔部
２２ａ，２２ｂ  幅狭孔部
２３  握持部
２４  握持部
２５  孔
２６  生地
２７  生地
２８  孔
【図１】
0003113203.tif 000003
【図２】
0003113203.tif 000004
【図３】
0003113203.tif 000005
【図４】
0003113203.tif 000006